(57)【特許請求の範囲】
【請求項１】
主会議室と少なくとも一つの副会議室との間でネットワークを介して行われるテレビ会議に用いられる遠隔テレビ会議システムであって、
前記主会議室に配置され、特定の会議者が注視する領域を撮像する主会議室代表カメラと、
前記副会議室に配置され、前記主会議室代表カメラが撮像した画像を前記ネットワークを介して受信して表示する副会議室代表ディスプレイと、
前記副会議室に配置され、前記副会議室全体の音声を収音する副会議室代表マイクと、
前記主会議室に配置され、前記副会議室代表マイクで収音された音声を前記ネットワークを介して前記特定の会議者に聴覚させる主会議室代表ヘッドフォンと、
前記副会議室に配置され、前記副会議室全体を撮像する副会議室全体カメラと、
前記主会議室の前記特定の会議者の背後に配置され、前記副会議室全体カメラで撮像された画像を表示する主会議室代表ディスプレイと、
を備えることを特徴とする遠隔テレビ会議システム。
【請求項２】
前記主会議室代表カメラは、前記特定の会議者の頭部に配置され、前記特定の会議者の前方を撮像することを特徴とする請求項１に記載の遠隔テレビ会議システム。
【請求項３】
前記主会議室に配置され、前記特定の会議者の音声を収音する主会議室代表マイクと、
前記主会議室に配置され、前記主会議室全体の音声を収音する主会議室全体マイクと、
前記主会議室代表マイクで集音した音声と前記主会議室全体マイクで集音した音声とをミキシングするミキサーと、
前記副会議室に配置され、前記ミキサーでミキシングされた音声を前記ネットワークを介して受信して出力する副会議室ミキシングスピーカと、
をさらに備えることを特徴とする請求項１又は２に記載のいずれかの遠隔テレビ会議システム。
【請求項４】
前記主会議室に配置され、前記特定の会議者の音声を収音する主会議室代表マイクと、
前記主会議室に配置され、前記主会議室全体の音声を収音する主会議室全体マイクと、
前記副会議室に配置され、前記主会議室代表マイクで収音された音声を前記ネットワークを介して受信して出力する副会議室代表スピーカと、
前記副会議室に配置され、前記主会議室全体マイクで収音された音声を前記主会議室代表マイクで収音された音声とは別チャネルで前記ネットワークを介して受信して出力する副会議室全体スピーカと、
をさらに備えることを特徴とする請求項１又は２に記載のいずれかの遠隔テレビ会議システム。
【請求項５】
前記副会議室に配置され、前記副会議室全体の音声を収音する副会議室全体マイクと、
前記主会議室に配置され、前記副会議室全体マイクで収音された音声を前記ネットワークを介して受信して出力する主会議室全体スピーカと、
をさらに備えることを特徴とする請求項３又は４に記載の遠隔テレビ会議システム。
【請求項６】
前記副会議室に配置され、前記副会議室全体マイク又は前記副会議室代表マイクのいずれか一方を消音設定できる入力スイッチをさらに備えることを特徴とする請求項５に記載の遠隔テレビ会議システム。
【請求項７】
前記副会議室に配置され、前記主会議室全体スピーカ又は前記主会議室代表ヘッドフォンのいずれか一方を消音設定できる出力スイッチをさらに備えることを特徴とする請求項５に記載の遠隔テレビ会議システム。
【発明の詳細な説明】
【技術分野】
【０００１】
本発明は、ネットワークを介して複数の地点間で行うテレビ会議に用いる遠隔テレビ会議システムに関するものである。
【背景技術】
【０００２】
従来、遠隔地間でテレビ会議を行う場合、会議室間をネットワークで接続し、映像や音声を通信装置で伝送している（例えば、非特許文献１及び２を参照。）。図１は、従来の遠隔テレビ会議システムの接続ブロック図である。また、図２は、従来の遠隔テレビ会議システムの会議室内におけるデバイスの配置例を示す。カメラとディスプレイを会議室の前面に配置し、会議の出席者は、ディスプレイと対面して話をすることになる。なお、本明細書では、「会議の出席者」を「会議者」と略記する。
【非特許文献１】岡田、松下、「臨場感のある多地点テレビ会議システムＭＡＪＩＣ」、情報処理学会、ｖｏｌ．３６，ｎｏ．３，ｐｐ．７７５−７８３，Ｍａｒ．１９９５。
【非特許文献２】安田、青木、他、「文殊の知恵システム：意思決定可能な視線一致型テレビ会議システム」、情報処理学会研究報告、ｖｏｌ．１９９８，Ｎｏ．１１１，ｐｐ．３−８，Ｄｅｃ．１９９８。
【発明の開示】
【発明が解決しようとする課題】
【０００３】
しかし、従来の遠隔テレビ会議システムの構成では、カメラが会議室の前面に固定的に配置されているため、協調作業などを行う場合に議論の注目対象が不明確で、主会議室と副会議室にて並行して複数の課題を議論することが難しいという課題があった。ここで、主会議室とは主題となる主課題を解決するために議論をする会議室のことであり、副会議室とは主課題から派生する副課題を解決するために議論をする会議室のことである。
【０００４】
本発明は、上記課題を解決するためになされたもので、議論の注目対象を撮像でき、主会議室と副会議室にて並行して複数の課題を議論することできる遠隔テレビ会議システムを提供することを目的とする。
【課題を解決するための手段】
【０００５】
前記目的を達成するために、本発明に係る遠隔テレビ会議システムは、会議者が注視する領域を撮像する主会議室代表カメラを主会議室に配置することとした。
【０００６】
具体的には、本発明に係る遠隔テレビ会議システムは、主会議室と少なくとも一つの副会議室との間でネットワークを介して行われるテレビ会議に用いられる遠隔テレビ会議システムであって、前記主会議室に配置され、特定の会議者が注視する領域を撮像する主会議室代表カメラと、前記副会議室に配置され、前記主会議室代表カメラが撮像した画像を前記ネットワークを介して受信して表示する副会議室代表ディスプレイと、を備えることを特徴とする。
【０００７】
本発明に係る遠隔テレビ会議システムは、主会議室代表カメラが撮像した特定の会議者が注視する領域を、副会議室の副会議室代表ディスプレイに映し出すことができる。このため、遠隔テレビ会議システムは映像の効果を充分に発揮することができ、副会議室の参加者は議論の注目対象を容易に理解することができる。
【０００８】
従って、本発明は、議論の注目対象を撮像でき、主会議室と副会議室にて並行して複数の課題を議論することできる遠隔テレビ会議システムを提供することができる。
【０００９】
遠隔テレビ会議システムの前記主会議室代表カメラは、前記特定の会議者の頭部に配置され、前記特定の会議者の前方を撮像することを特徴とする。小型のカメラを利用することで特定の会議者の頭部に主会議室代表カメラを配置することができる。主会議室代表カメラは特定の会議者が顔を向けた方向を撮像できるため、特定の会議者が注視する領域を副会議室代表ディスプレイに映し出すことができる。
【００１０】
遠隔テレビ会議システムは、前記副会議室に配置され、前記副会議室全体を撮像する副会議室全体カメラと、前記主会議室の前記特定の会議者の背後に配置され、前記副会議室全体カメラで撮像された画像を表示する主会議室代表ディスプレイと、をさらに備えることを特徴とする。主会議室の会議者は副会議室にいる参加者を容易に把握することができる。
【００１１】
遠隔テレビ会議システムは、前記主会議室に配置され、前記特定の会議者の音声を収音する主会議室代表マイクと、前記主会議室に配置され、前記主会議室全体の音声を収音する主会議室全体マイクと、前記主会議室代表マイクで集音した音声と前記主会議室全体マイクで集音した音声とをミキシングするミキサーと、前記副会議室に配置され、前記ミキサーでミキシングされた音声を前記ネットワークを介して受信して出力する副会議室ミキシングスピーカと、をさらに備えることを特徴とする。
【００１２】
遠隔テレビ会議システムは、前記主会議室に配置され、前記特定の会議者の音声を収音する主会議室代表マイクと、前記主会議室に配置され、前記主会議室全体の音声を収音する主会議室全体マイクと、前記副会議室に配置され、前記主会議室代表マイクで収音された音声を前記ネットワークを介して受信して出力する副会議室代表スピーカと、前記副会議室に配置され、前記主会議室全体マイクで収音された音声を前記主会議室代表マイクで収音された音声とは別チャネルで前記ネットワークを介して受信して出力する副会議室全体スピーカと、をさらに備えることを特徴とする。
【００１３】
特定の会議者の音声のみを収音することができ、副会議室の参加者に明瞭に伝達することができる。
【００１４】
遠隔テレビ会議システムは、前記副会議室に配置され、前記副会議室全体の音声を収音する副会議室全体マイク及び副会議室代表マイクと、前記主会議室に配置され、前記副会議室全体マイクで収音された音声を前記ネットワークを介して受信して出力する主会議室全体スピーカと、前記主会議室に配置され、前記副会議室代表マイクで収音された音声を前記ネットワークを介して前記特定の会議者に聴覚させる主会議室代表ヘッドフォンと、をさらに備えることを特徴とする。副会議室の副会議室代表マイクで副会議室の音声を主会議室にいる特定の会議者に明瞭に伝達することができる。
【００１５】
遠隔テレビ会議システムは、前記副会議室に配置され、前記副会議室全体マイク又は前記副会議室代表マイクのいずれか一方を消音設定できる入力スイッチをさらに備えることを特徴とする。
【００１６】
遠隔テレビ会議システムは、前記副会議室に配置され、前記主会議室全体スピーカ又は前記主会議室代表ヘッドフォンのいずれか一方を消音設定できる出力スイッチをさらに備えることを特徴とする。
【００１７】
副会議室に入力スイッチ又は出力スイッチを備えたことにより、副会議室の音声を主会議室にいる特定の会議者のみに伝達することができる。従って、特定の会議者と副会議室の参加者とが秘話をすることができる。また、主会議室で議題にされている主課題から派生する副課題について副会議室でより詳しく議論し、その回答を主会議室にいる他の会議者に聞こえないように特定の会議者のみに伝達することができる。従って、主会議室で副課題の議論が発生する度に副会議室で主会議室の議論と並行して副課題を議論することができ、主会議室の主課題の議論を中断せずに迅速な意思決定をすることができる。
【発明の効果】
【００１８】
本発明は、議論の注目対象を撮像でき、主会議室と副会議室にて並行して複数の課題を議論することできる遠隔テレビ会議システムを提供することができる。また、本発明に係る遠隔テレビ会議システムにおいて、特定の会議者の頭部に主会議室代表カメラを配置することで、特定の会議者の注目領域の映像が分かり、副会議室において主会議室の議論についての理解度が高まる。さらに、特定の会議者の背後に副会議室の映像が映った主会議室代表ディスプレイを配置することで、主会議室の会議者は副会議室の参加者に誰が参加しているのかが容易に判断できる。
【００１９】
一方、特定の会議者が専用の主会議室代表マイクと主会議室代表へッドフォンを装着することで、特定の会議者は副会議室と秘話ができる。主会議室の特定の会議者と副会議室の参加者との間で秘話ができることで、主課題及び副課題をそれぞれ主会議室及び副会議室でリアルタイムに平行して議論できるため、迅速な議事進行及び意思決定が可能となる。
【発明を実施するための最良の形態】
【００２０】
添付の図面を参照して本発明の実施の形態を説明する。以下に説明する実施の形態は本発明の構成の例であり、本発明は、以下の実施の形態に制限されるものではない。なお、本明細書及び図面において符号が同じ構成要素は、相互に同一のものを示すものとする。
【００２１】
（実施の形態１）
図３は、本実施形態の遠隔テレビ会議システムの接続ブロック図である。本実施形態の遠隔テレビ会議システムは、主会議室３１０と２つの副会議室３１１及び３１２との間でそれぞれネットワーク１０−１及びネットワーク１０−２を介して行われるテレビ会議に用いられる遠隔テレビ会議システムである。
【００２２】
図４は、本実施形態の遠隔テレビ会議システムを構成するデバイスのうち、主会議室３１０に配置されるデバイスの配置例である。主会議室３１０には会議者Ａ、会議者Ｂ及び会議者Ｃがいる。また、図５及び図６は、本実施形態の遠隔テレビ会議システムを構成するデバイスのうち、それぞれ副会議室３１１及び副会議室３１２に配置されるデバイスの配置例である。副会議室３１１には、参加者Ｄ及び参加者Ｅがいる。副会議室３１２には、参加者Ｆ及び参加者Ｇがいる。ここで、会議者Ａは副会議室３１１にいるメンバを代表として主会議室に出席している者である。同様に会議者Ｂは副会議室３１２にいるメンバを代表として主会議室に出席している者である。
【００２３】
本実施形態の遠隔テレビ会議システムは、主会議室３１０に配置され、会議者Ａが注視する領域を撮像する主会議室代表カメラ１２−１及び会議者Ｂが注視する領域を撮像する主会議室代表カメラ１２−２と、副会議室３１１に配置され、主会議室代表カメラ１２−１が撮像した画像をネットワーク１０−１を介して受信して表示する副会議室代表ディスプレイ１１７及び副会議室３１２に配置され、主会議室代表カメラ１２−２が撮像した画像をネットワーク１０−２を介して受信して表示する副会議室代表ディスプレイ２１７と、を備える。
【００２４】
例えば、主会議室代表カメラ１２−１は、会議者Ａの頭部に配置され、会議者Ａの前方を撮像し、主会議室代表カメラ１２−２は、会議者Ｂの頭部に配置され、会議者Ｂの前方を撮像する。本実施例では、会議者の頭部に主会議室代表カメラを配置しているが、会議者の注視する対象を撮像できれば、主会議室代表カメラの配置場所や会議者の注視する対象の撮像方法は図４の例に限られない。
【００２５】
会議者Ａの頭部に配置された主会議室代表カメラ１２−１が撮像した映像はネットワーク１０−１を介して副会議室３１１へ送信される。同様に、会議者Ｂの頭部に配置された主会議室代表カメラ１２−２が撮像した映像はネットワーク１０−２を介して副会議室３１２へ送信される。これにより、議論の最中に会議者Ａ及び会議者Ｂが注目している対象物を副会議室３１１及び副会議室３１２に送信でき、議論の流れに合わせた映像をそれぞれの副会議室ディスプレイ１１７及び副会議室ディスプレイ２１７に表示することができる。
【００２６】
このように、主会議室３１０にいる会議者Ａ及び会議者Ｂは、頭部の動きと連動してそれぞれ主会議室代表カメラ１２−１及び主会議室代表カメラ１２−２を議論の注目領域に向けることができ、また、その注目領域の映像をそれぞれ副会議室３１１及び副会議室３１２に送信できる。これにより、副会議室３１１及び副会議室３１２にいる参加者は、主会議室３１０における議論に対する理解度が深まる。
【００２７】
本実施形態の遠隔テレビ会議システムは、副会議室３１１に配置され、副会議室３１１全体を撮像する副会議室全体カメラ１１１及び副会議室３１２に配置され、副会議室３１２全体を撮像する副会議室全体カメラ２１１と、主会議室３１０の会議者Ａの背後に配置され、副会議室全体カメラ１１１で撮像された画像を表示する主会議室代表ディスプレイ１７−１及び主会議室３１０の会議者Ｂの背後に配置され、副会議室全体カメラ２１１で撮像された画像を表示する主会議室代表ディスプレイ１７−２と、をさらに備える。
【００２８】
会議者Ｂ及び会議者Ｃは、主会議室代表ディスプレイ１７−１を見ることで副会議室３１１に参加者Ｄ及び参加者Ｅが出席していることを容易に知ることができる。同様に、会議者Ａ及び会議者Ｃは、主会議室代表ディスプレイ１７−２を見ることで副会議室３１２に参加者Ｆ及び参加者Ｇが出席していることを容易に知ることができる。
【００２９】
本実施形態の遠隔テレビ会議システムは、主会議室３１０に配置され、会議者Ａの音声を収音する主会議室代表マイク１４−１及び会議者Ｂの音声を収音する主会議室代表マイク１４−２と、主会議室３１０に配置され、主会議室３１０全体の音声を収音する主会議室全体マイク１３と、副会議室３１１に配置され、主会議室代表マイク１４−１で収音された音声をネットワーク１０−１を介して受信して出力する副会議室代表スピーカ１１６及び副会議室３１２に配置され、主会議室代表マイク１４−２で収音された音声をネットワーク１０−２を介して受信して出力する副会議室代表スピーカ２１６と、副会議室３１１に配置され、主会議室全体マイク１３で収音された音声を主会議室代表マイク１４−１で収音された音声とは別チャネルでネットワーク１０−１を介して受信して出力する副会議室全体スピーカ１１５及び副会議室３１２に配置され、主会議室全体マイク１３で収音された音声を主会議室代表マイク１４−２で収音された音声とは別チャネルでネットワーク１０−２を介して受信して出力する副会議室全体スピーカ２１５と、をさらに備える。
【００３０】
主会議室代表マイク１４−１は主会議室全体スピーカ１３とは別に会議者Ａの音声を収音し、副会議室代表スピーカ１１６は会議者Ａの音声を出力する。このため、副会議室３１１にいる出席者Ｄ及び出席者Ｅは会議者Ａの音声を明瞭に聴くことができる。同様に、副会議室３１２にいる出席者Ｆ及び出席者Ｇは会議者Ｂの音声を明瞭に聴くことができる。
【００３１】
なお、主会議室代表マイク１４−１で集音した音声と主会議室全体マイク１３で集音した音声とをミキシングする図示しないミキサーと、主会議室代表マイク１４−２で集音した音声と主会議室全体マイク１３で集音した音声とをミキシングする図示しないミキサーと、を備えても同様の効果を得ることができる。この場合、副会議室３１１には副会議室ミキシングスピーカとして副会議室全体スピーカ１１５のみ配置すればよい。同様に、副会議室３１２には副会議室全体スピーカ２１５のみ配置すればよい。
【００３２】
本実施形態の遠隔テレビ会議システムは、副会議室３１１に配置され、副会議室３１１全体の音声を収音する副会議室全体マイク１１３及び副会議室代表マイク１１４並びに副会議室３１２に配置され、副会議室３１２全体の音声を収音する副会議室全体マイク２１３及び副会議室代表マイク２１４と、主会議室３１０に配置され、副会議室全体マイク１１３で収音された音声をネットワーク１０−１を介して受信して出力する主会議室全体スピーカ１５−１及び副会議室全体マイク２１３で収音された音声をネットワーク１０−２を介して受信して出力する主会議室全体スピーカ１５−２と、主会議室３１０に配置され、副会議室代表マイク１１４で収音された音声をネットワーク１０−１を介して会議者Ａに聴覚させる主会議室代表ヘッドフォン１６−１及び副会議室代表マイク２１４で収音された音声をネットワーク１０−２を介して会議者Ａに聴覚させる主会議室代表ヘッドフォン１６−２と、をさらに備える。
【００３３】
図４において、主会議室代表カメラ１２−１、主会議室代表マイク１４−１及び主会議室代表ヘッドフォン１６−１は一体型のヘッドセットとなっている。同様に、主会議室代表カメラ１２−２、主会議室代表マイク１４−２及び主会議室代表ヘッドフォン１６−２も一体型のヘッドセットとなっている。
【００３４】
主会議室３１０で議題にされている主課題から副課題が派生したとき、会議者Ａは主会議室代表マイク１４−１を使用して副会議室３１１へ副課題を伝えることができる。副課題を伝えられた副会議室３１１では、主会議室の議論とは別に参加者Ｄと参加者Ｅとが副課題を議論して結論を導ける。同様に副会議室３１２でも、参加者Ｆと参加者Ｇとが会議者Ｂから伝えられた副課題を議論して結論を導ける。
【００３５】
会議者Ａが主会議室代表ヘッドフォン１６−１を装着しているため、副会議室３１１の参加者Ｄ及び参加者Ｅは、副会議室３１１での副課題の結論を会議者Ｂや会議者Ｃに聞かれることなく会議者Ａに伝えることができる。同様に、副会議室３１２の参加者Ｆ及び参加者Ｇは副会議室３１２での副課題の結論を会議者Ｂに伝えることができる。
【００３６】
このように、主会議室３１０での議論を中断することなく、且つ他の会議者に聞かれることなく、会議者Ａや会議者Ｂは、副会議室３１１や副会議室３１２の参加者と連絡を取り、副課題に詳しい副会議室３１１や副会議室３１２の参加者からの回答を得ることができる。従って、本実施形態の遠隔テレビ会議システムは、主課題と副課題をリアルタイムに並行して議論できるため、迅速な意思決定をすることができる。
【００３７】
本実施形態の遠隔テレビ会議システムは、副会議室３１１に配置され、副会議室全体マイク１１３又は副会議室代表マイク１１４のいずれか一方を消音設定できる図示しない入力スイッチ、あるいは主会議室全体スピーカ１５−１又は主会議室代表ヘッドフォン１６−１のいずれか一方を消音設定できる図示しない出力スイッチをさらに備える。副会議室３１２にも同様に入力スイッチ又は出力スイッチを備える。
【００３８】
図７は、入力スイッチの切替えアルゴリズムを説明したフローチャートである。開始ステップＳ１後、マイク電源確認ステップＳ２を行う。マイク電源とは、副会議室代表マイク及び副会議室全体マイクへ供給する電源である。マイク電源がＯＦＦの場合、アルゴリズムを終了ステップＳ７となる。マイク電源がＯＮの場合、切替えボタン押下ステップＳ３で副会議室代表マイクと副会議室全体マイクとを切替える。副会議室代表マイクＯＮステップＳ４と副会議室全体マイクＯＮステップＳ５との切替えは、副会議室の参加者が手動で行う。最後にマイク電源確認ステップＳ６を行い、マイク電源がＯＦＦならば終了ステップＳ７となる。マイク電源がＯＮならば、再び切替えボタン押下ステップＳ３を行う。
【００３９】
例えば、副会議室３１１において入力スイッチで副会議室全体マイク１１３を消音設定にし、副会議室代表マイク１１４からのみ音声を収集する設定とすることで、会議者Ａは、主会議室３１０の他の会議者に副会議室３１１の音声を全く聞かれずに副会議室３１１と秘話をすることができる。入力スイッチではなく、出力スイッチで主会議室３１０の全体スピーカ１５−１の音声を消音設定しても同様の効果を得ることができる。会議者Ｂと副会議室３１２についても同様である。
【００４０】
なお、本実施形態の遠隔テレビ会議システムは、副会議室は２つに限らず、１つでもよいし、３以上でもよい。
【００４１】
（実施の形態２）
図３から図７で説明した実施の形態１の遠隔テレビ会議システムに、主会議室３１０全体を撮像する主会議室全体カメラを主会議室３１０に配置してもよい。図８は、主会議室３１０に主会議室全体カメラ１１を配置した遠隔テレビ会議システムの接続ブロック図である。図９は、本実施形態の遠隔テレビ会議システムを構成するデバイスのうち、主会議室３１０に配置されるデバイスの配置例である。また、副会議室３１１及び副会議室３１２に配置されるデバイスの配置例は、図５及び図６と同様である。
【００４２】
本実施例の遠隔テレビ会議システムと実施の形態１の遠隔テレビ会議システムとの違いは、主会議室３１０に主会議室全体カメラ１１が配置され、図５の副会議室３１１及び図６の副会議室３１２にそれぞれ図示しないカメラスイッチが配置されていることである。副会議室代表ディスプレイ１１７及び副会議室代表ディスプレイ２１７は、主会議室全体カメラ１１が撮像した画像をネットワーク１０−１又はネットワーク１０−２を介して受信して表示できる。具体的には、副会議室３１１の参加者Ｄや参加者Ｅは、副会議室代表ディスプレイ１１７に、主会議室全体カメラ１１が撮像した画像を表示させるか、主会議室代表カメラ１２−１が撮像した画像を表示させるか、をカメラスイッチで選択できる。副会議室代表ディスプレイ１１７に両画像を表示させてもよい。副会議室３１２も同様である。
【００４３】
副会議室３１１の参加者は、主会議室全体カメラ１１が撮像する画像から主会議室３１０に会議者Ａ、会議者Ｂ及び会議者Ｃが出席していることを容易にすることができるとともに、カメラスイッチを主会議室代表カメラ１２−１が撮像する画像に切替えて議論の理解度を高めることができる。副会議室３１２の参加者も同様である。
【実施例】
【００４４】
次に実施例を挙げて本発明をより具体的に説明するが、本発明はこれによって限定されるものではない。
【００４５】
（実施例１）
政治的な国際会議が行われている主会議室で外国の代表メンバから質問された場合に、主会議室にいる日本代表メンバは、主会議室代表マイク及び主会議室代表ヘッドフォンを用いて副会議室にいる各担当者（政治、経済、法律などの専門家）と秘話モード（ヘッドセットでの会話）でリアルタイムに調整しながら意思決定を行う。日本代表メンバは意思決定に従い、質問を持ち帰ることなく、その場で回答できる。
【００４６】
（実施例２）
大規模サーバのトラブルが発生した場合、迅速にトラブル解決を行う必要がある。トラブル対策会議のため、主会議室に集まったサービス提供会社代表者、開発メーカ代表者、運用部門代表者等の会議者に対し、副会議室にいるメンバは主会議室代表カメラで撮像された資料を見ながら対策案を回答できる。このため、主会議室の会議者は、副会議室にいるメンバとリアルタイムに調整をしながら意思決定を行う。疑問点などの持ち帰りがないため迅速な意思決定ができ、緊急のトラブル対応に迅速に対応できる。
【産業上の利用可能性】
【００４７】
本発明に係る遠隔テレビ会議システムのネットワークとして公衆通信網、専用網、ＬＡＮ（Ｌｏｃａｌ  Ａｒｅａ  Ｎｅｔｗｏｒｋ）等を利用することができる。
【図面の簡単な説明】
【００４８】
【図１】従来の遠隔テレビ会議システムの接続ブロック図である。
【図２】従来の遠隔テレビ会議システムを構成するデバイスの配置例である。
【図３】本発明に係る遠隔テレビ会議システムの接続ブロック図である。
【図４】本発明に係る遠隔テレビ会議システムを構成するデバイスのうち、主会議室に配置されるデバイスの配置例である。
【図５】本発明に係る遠隔テレビ会議システムを構成するデバイスのうち、それぞれ副会議室に配置されるデバイスの配置例である。
【図６】本発明に係る遠隔テレビ会議システムを構成するデバイスのうち、それぞれ副会議室に配置されるデバイスの配置例である。
【図７】本発明に係る遠隔テレビ会議システムの入力スイッチの切替えアルゴリズムを説明したフローチャートである。
【図８】本発明に係る遠隔テレビ会議システムの接続ブロック図である。
【図９】本発明に係る遠隔テレビ会議システムを構成するデバイスのうち、主会議室に配置されるデバイスの配置例である。
【符号の説明】
【００４９】
１０、１０−１、１０−２：ネットワーク
１１：主会議室全体カメラ
１２−１、１２−２：主会議室代表カメラ
１３：主会議室全体マイク
１４−１、１４−２：主会議室代表マイク
１５−１、１５−２：主会議室全体スピーカ
１６−１、１６−２：主会議室代表ヘッドフォン
１７−１、１７−２：主会議室代表ディスプレイ
２０、１２０、２２０：通信装置
５１：カメラ
５３：マイク
５５：スピーカ
５９：ディスプレイ
１１１、２１１：副会議室全体カメラ
１１３、２１３：副会議室全体マイク
１１４、２１４：副会議室代表マイク
１１５、２１５：副会議室全体スピーカ
１１６、２１６：副会議室代表スピーカ
１１７、２１７：副会議室代表ディスプレイ
３０１、３０２：会議室
３１０：主会議室
３１１、３１２：副会議室
Ｓ１：開始ステップ
Ｓ２：マイク電源確認ステップ
Ｓ３：切替えボタン押下ステップ
Ｓ４：副会議室代表マイクＯＮステップ
Ｓ５：副会議室全体マイクＯＮステップ
Ｓ６：マイク電源確認ステップ
Ｓ７：終了ステップ
【図１】
0005015747.tif 000002
【図２】
0005015747.tif 000003
【図３】
0005015747.tif 000004
【図４】
0005015747.tif 000005
【図５】
0005015747.tif 000006
【図６】
0005015747.tif 000007
【図７】
0005015747.tif 000008
【図８】
0005015747.tif 000009
【図９】
0005015747.tif 000010